(57)【要約】      （修正有）【課題】持ち運ぶ物品の大きさを変更した場合に迅速かつ的確に対応する搬送用容器を提供する。【解決手段】搬送用容器１０は、上方に開口１１を有する容器本体１２と、この容器本体１２内に配置される帯状のシート部材１３と、このシート部材１３を横切るように容器本体１２内に並べて架け渡され、シート部材１３を、容器本体１２の底から離反する高さに懸架してつづら折り状にする複数の懸架部材１５と、これら複数の懸架部材１５を、相互の間隔を選択可能に支持する一対の支持部材１６とを備えている。【選択図】図１
0003166980.tif 000002
【実用新案登録請求の範囲】
【請求項１】
少なくとも上方に開口を有する容器本体と、
前記容器本体内に配置される帯状のシート部材と、
前記シート部材を横切るように前記容器本体内に並べて架け渡され、前記シート部材を、前記容器本体の底から離反する高さに懸架してつづら折り状にする複数の懸架部材と、
前記複数の懸架部材を、相互の間隔を選択可能に支持する支持部材と、を備えることを特徴とする、
搬送用容器。
【請求項２】
前記支持部材は、前記懸架部材を、前記容器本体に対する高さを選択可能に支持することを特徴とする、
請求項１に記載の搬送用容器。
【請求項３】
前記支持部材は、前記容器本体に着脱可能に取り付けられることを特徴とする、
請求項１または２に記載の搬送用容器。
【請求項４】
前記支持部材は、前記懸架部材を嵌め込む複数の支持溝を有することを特徴とする、
請求項１〜３のいずれかに記載の搬送用容器。
【請求項５】
前記支持溝には、前記懸架部材を、前記容器本体に対する高さを選択可能に掛止する複数の掛止部が形成されることを特徴とする、
請求項４に記載の搬送用容器。
【請求項６】
前記支持部材は、前記懸架部材を自転可能に支持することを特徴とする、
請求項１〜５のいずれかに記載の搬送用容器。
【請求項７】
前記シート部材は、前記容器本体内に着脱可能に配置されることを特徴とする、
請求項１〜６のいずれかに記載の搬送用容器。
【請求項８】
前記シート部材は、導電性を有することを特徴とする、
請求項１〜７のいずれかに記載の搬送用容器。
【請求項９】
前記シート部材は、気泡緩衝材または不織布から成形されることを特徴とする、
請求項１〜８のいずれかに記載の搬送用容器。
【考案の詳細な説明】
【技術分野】
【０００１】
本考案は、複数の物品をまとめて搬送する搬送用容器に関する。
【背景技術】
【０００２】
精密部品等の物品を持ち運ぶための搬送用容器がある。例えば、非特許文献１に記載されている搬送用容器は、上方に開口を有する容器本体と、この容器本体内に配置された帯状の不織布と、この不織布を横切るように容器本体内に並べて架け渡され、不織布を、容器本体の底から離反する高さに懸架してつづら折り状にする複数の懸架部材と、を備えている。また、特許文献１および２に記載されている搬送用容器は、上記構成に加えて、複数の懸架部材をスライド可能に支持するレールを備えている。これらの搬送用容器は、つづら折り状にされた不織布が、複数の物品を個別に宙吊りにして収容する複数の収容部を構成する。
【０００３】
このような搬送用容器では、容器本体に衝撃が加えられたとしても、宙吊りにされた物品は揺動して衝撃の影響を受けないから、安全で効率的に持ち運ぶことが可能となる。また、特許文献１および２に記載されている搬送用容器については、懸架部材をスライドさせることで、収容部の大きさを自由に変更できる。これにより、あらゆる大きさの物品の持運びに対応できる。
【先行技術文献】
【特許文献】
【０００４】
【特許文献１】特開２００９−０８３９０９号公報
【特許文献２】特開２０１０−２８０４４８号公報
【非特許文献】
【０００５】
【非特許文献１】株式会社アパックス、［online］、製品情報  アパコンハンモック、［平成２３年１月１１日検索］、インターネット（ＵＲＬ：http://www.appax.com/products/products_hammock.html）
【考案の概要】
【考案が解決しようとする課題】
【０００６】
特許文献１および２に記載されている搬送用容器において、持ち運ぶ物品の大きさを変更した場合には、複数の懸架部材を等間隔となる位置に配置する等、所望の位置に配置する必要がある。しかしながら、懸架部材をスライドさせる構成の場合、その配置自由度が高いので、複数の懸架部材を所望の位置に配置することを、迅速かつ的確に行うことが難しい。また、懸架部材を的確に配置した場合であっても、容器本体に衝撃が加えられたときに、懸架部材がスライドしてしまうおそれがある。
【０００７】
本考案は、上記課題を鑑みてなされたものであり、持ち運ぶ物品の大きさを変更した場合に迅速かつ的確に対応できる搬送用容器を提供することを目的とする。
【課題を解決するための手段】
【０００８】
（１）本考案は、少なくとも上方に開口を有する容器本体と、前記容器本体内に配置される帯状のシート部材と、前記シート部材を横切るように前記容器本体内に並べて架け渡され、前記シート部材を、前記容器本体の底から離反する高さに懸架してつづら折り状にする複数の懸架部材と、前記複数の懸架部材を、相互の間隔を選択可能に支持する支持部材と、を備えることを特徴とする、搬送用容器である。
【０００９】
本考案によれば、つづら折り状にされたシート部材が、複数の物品を個別に宙吊りにして収容する複数の収容部を構成する。このため、容器本体に衝撃が加えられたとしても、宙吊りにされた物品は揺動して衝撃の影響を受けないから、安全で効率的に持ち運ぶことが可能となる。
【００１０】
また、複数の懸架部材を、相互の間隔を選択可能に支持する支持部材を備えているから、複数の懸架部材を、相互の間隔を選択するように配置できる。これにより、懸架部材を自由にスライドさせる構成と比較して、複数の懸架部材を所望の位置に配置することを、迅速かつ的確に行える。ひいては、持ち運ぶ物品の大きさを変更した場合に迅速かつ的確に対応できる。また、容器本体に衝撃が加えられたときに、懸架部材がスライドしてしまうことがない。
【００１１】
（２）本考案はまた、前記支持部材は、前記懸架部材を、前記容器本体に対する高さを選択可能に支持することを特徴とする、上記（１）に記載の搬送用容器である。
【００１２】
上記考案によれば、懸架部材を配置する位置の選択の幅がある。ひいては、複数の懸架部材を所望の位置に配置することを、さらに的確に行える。
【００１３】
（３）本考案はまた、前記支持部材は、前記容器本体に着脱可能に取り付けられることを特徴とする、上記（１）または（２）に記載の搬送用容器である。
【００１４】
上記考案によれば、収容する物品の種類や大きさに応じて支持部材を簡単に取り換えられる。
【００１５】
（４）本考案はまた、前記支持部材は、前記懸架部材を嵌め込む複数の支持溝を有することを特徴とする、上記（１）〜（３）のいずれかに記載の搬送用容器である。
【００１６】
（５）本考案はまた、前記支持溝には、前記懸架部材を、前記容器本体に対する高さを選択可能に掛止する複数の掛止部が形成されることを特徴とする、上記（４）に記載の搬送用容器である。
【００１７】
上記（４）および（５）に記載の考案によれば、簡単な構成で、複数の懸架部材を所望の位置に配置することを迅速かつ的確に行える。
【００１８】
（６）本考案はまた、前記支持部材は、前記懸架部材を自転可能に支持することを特徴とする、上記（１）〜（５）のいずれかに記載の搬送用容器である。
【００１９】
上記考案によれば、懸架部材の自転によって、物品の揺動を滑らかに行える。
【００２０】
（７）本考案はまた、前記シート部材は、前記容器本体内に着脱可能に配置されることを特徴とする、上記（１）〜（６）のいずれかに記載の搬送用容器である。
【００２１】
上記考案によれば、収容する物品の種類や大きさに応じてシート部材を簡単に取り換えられる。
【００２２】
（８）本考案はまた、前記シート部材は、導電性を有することを特徴とする、上記（１）〜（７）のいずれかに記載の搬送用容器である。
【００２３】
上記考案によれば、持ち運ぶ物品を静電気から保護できる。
【００２４】
（９）本考案はまた、前記シート部材は、気泡緩衝材または不織布から成形されることを特徴とする、上記（１）〜（８）のいずれかに記載の搬送用容器である。
【００２５】
上記考案によれば、シート部材が物品への衝撃を吸収できる。これにより、容器本体に衝撃が加えられて物品同士が衝突した場合であっても、シート部材が物品への衝撃を和らげ、安全に持ち運べる。また、気泡緩衝材および不織布は、大量生産が可能であって安価であるので、搬送用容器を迅速かつ低コストに生産できる。
【考案の効果】
【００２６】
本考案の上記（１）〜（９）のいずれかに記載の搬送用容器によれば、持ち運ぶ物品の大きさを変更した場合に迅速かつ的確に対応できる。
【図面の簡単な説明】
【００２７】
【図１】本考案の第１実施形態に係る搬送用容器の外観斜視図である。
【図２】図１に示す搬送用容器の分解斜視図である。
【図３】図１に示す搬送用容器を矢印IIIの方向に視た断面図である。
【図４】図１に示す搬送用容器の断面図であり、複数の懸架部材の相互の間隔を説明する図である。
【図５】図１に示す搬送用容器の断面図であり、懸架部材の容器本体に対する高さを説明する図である。
【図６】図１に示す搬送用容器の断面図であり、収容した物品の揺動を説明する図である。
【図７】第２実施形態に係る搬送用容器の支持部材の正面図である。
【考案を実施するための形態】
【００２８】
以下、図面を参照して、本考案の第１および第２実施形態に係る搬送用容器について詳細に説明する。
【００２９】
［第１実施形態］まず、図１〜図６を用いて、第１実施形態に係る搬送用容器１０の構成について説明する。図１は、搬送用容器１０の外観斜視図である。図２は、搬送用容器１０の分解斜視図である。図３は、搬送用容器１０を図１における矢印IIIの方向に視た断面図である。図４は、搬送用容器１０の断面図であり、複数の懸架部材１４の相互の間隔を説明する図である。図５は、搬送用容器１０の断面図であり、懸架部材１４の容器本体１２に対する高さを説明する図である。図６は、搬送用容器１０の断面図であり、収容した物品ＸＡ１の揺動を説明する図である。
【００３０】
なお、各図において、図面の簡略化のため、説明に不要な構成要素などの図示は適宜省略する。図３〜図６においては、シート部材１３を破線で示す。また、以下の説明における左右上下の方向は、特に説明がない限り、図面における方向と同じものとする。
【００３１】
図１に示す搬送用容器１０は、複数の物品ＸＡ１（図６参照）をまとめて持ち運ぶために用いられる。この搬送用容器１０は、持ち運ぶ物品ＸＡ１として、サイドラックと呼ばれる溝付きの収納ケース（商品名：ラックトレー（第一合成株式会社（東京都八王子市）））に収納できない電子基板を選択した場合に、その効果が有効に得られる。
【００３２】
搬送用容器１０は、上方に開口１１を有する容器本体１２と、この容器本体１２内に配置される帯状のシート部材１３と、このシート部材１３を横切るように容器本体１２内に並べて架け渡され、シート部材１３を、容器本体１２の底１４から離反する高さに懸架してつづら折り状にする複数の懸架部材１５と、これら複数の懸架部材１５を、相互の間隔を選択可能に、かつ、容器本体１２に対する高さを選択可能に支持する一対の支持部材１６と、を備えている。以下、上記各構成要素を説明する。
【００３３】
（容器本体）容器本体１２は、導電性材料を含んで形成されたダンボールプラスチック１７と、開口１１の縁に沿って配置される直線状の枠部材１８，１９，２０，２１と、開口１１の四隅に配置される平面視Ｌ字型のコーナー部材２２，２３，２４，２５と、両脇に配置される把手２６，２７と、を備えている。
【００３４】
ダンボールプラスチック１７は、ポリプロピレンに導電性材料を加えて成形され、中空構造の板状部材である。中空構造を採用しているので、耐久性、断熱性、耐薬性、遮音性、軽量性等に優れている。ダンボールプラスチック１７は、底面１７ａと、側面１７ｂ，１７ｃ，１７ｄ，１７ｅと、を備えており、適宜折り曲げられて箱形に成形される。底面１７ａは、容器本体１２の底１４を構成する。側面１７ｂ〜１７ｅは、容器本体１２の側面を構成する。側面１７ｂ，１７ｄには、把手２６，２７を取り付ける孔（図示省略）が形成されている。
【００３５】
枠部材１８〜２１は、断面コ字型のチャンネルであり、合成樹脂に導電性材料を加えて一体に成形されている。これらの枠部材１８〜２１は、開口１１の縁に沿って、ダンボールプラスチック１７の側面１７ｂ〜１７ｅの上端部に嵌め込まれる。枠部材１８〜２１は、コーナー部材２２〜２５と共に、ダンボールプラスチック１７にネジ（図示省略）等によって固定される。
【００３６】
コーナー部材２２〜２５は、平面視Ｌ字型のＬ字片（符号省略）と、このＬ字片のＬ字に沿った両端縁から下向きに延びる一対のクランプ片（符号省略）と、Ｌ字片のＬ字の外側縁から上向きに延びる囲い片（符号省略）と、を備え、合成樹脂に導電性材料を加えて一体に成形されている。これらのコーナー部材２２〜２５は、開口１１の縁に沿って、枠部材１８〜２１の上に嵌め込まれる。コーナー部材２２〜２５は、枠部材１８〜２１と共に、ダンボールプラスチック１７にネジ（図示省略）等によって固定される。
【００３７】
把手２６，２７は、ポリプロピレンに導電性材料を加えて成形されている。これらの把手２６，２７は、ダンボールプラスチック１７の側面１７ｂ，１７ｄに形成された孔（図示省略）に嵌め込まれ、固定される。
【００３８】
このような容器本体１２には、第一合成株式会社（東京都八王子市）が市販する導電性ダンプラボックス（商品名）を採用できる。導電性ダンプラボックスの詳細は、実公平０６−００２９０３号公報を参考にされたい。
【００３９】
以上の容器本体１２によれば、枠部材１８〜２１およびコーナー部材２２〜２５が台座として機能するから、複数の搬送用容器１０を積み重ねたり、開口１１を蓋（図示省略）で塞いだりすることができる。また、コーナー部材２２〜２５における囲い片（符号省略）が脱落防止機能を有するから、積み重ねた複数の搬送用容器１０が崩れたり、開口１１を塞いだ蓋（図示省略）が落下したりすることが防止される。
【００４０】
（シート部材）シート部材１３は、プチプチ（登録商標）と呼ばれる気泡緩衝材を所望のサイズにカットして成形される。気泡緩衝材は、２層のポリエチレンシート（図示省略）からなり、一方のシートに成型されている有底円筒状の突起（図示省略）の中に空気を閉じ込めている。シート部材１３には、導電性を有する気泡緩衝材を用いる。
【００４１】
このような気泡緩衝材には、川上産業株式会社（愛知県名古屋市）が市販する静電対策プチプチ（登録商標）シリーズのピンクプチ（登録商標、商品名）、ブループチ（登録商標、商品名）、導電プチブラック（商品名）、導電プチセミブラック（商品名）、および導電プチハーフメタリック（商品名）を採用できる。
【００４２】
シート部材１３は、気泡緩衝材の突起（図示省略）が下を向くようにして、かつ、山部（符号省略）および谷部（符号省略）が交互に連続するつづら折り状にして、容器本体１２内に配置される。シート部材１３の各山部は、熱圧着等により筒状に形成され、懸架部材１５を巻き込んで固定する。シート部材１３の各谷部は、物品ＸＡ１（図６参照）を収容する収容部（符号省略）として機能する。
【００４３】
このようなシート部材１３は、複数の懸架部材１５と共に、容器本体１２の内部に着脱可能に取り付けられる。
【００４４】
（懸架部材）複数の懸架部材１５は、それぞれ、アルミニウムやステンレス等の金属からなる丸パイプを所望のサイズにカットして成形される。これらの各懸架部材１５は、シート部材１３の各山部（符号省略）に固定される。このような懸架部材１５は、支持部材１６に支持部材１６に自転可能に支持される。
【００４５】
（支持部材）一対の支持部材１６は、それぞれ、合成樹脂に導電性材料を加えて成形される板状部材である。これら一対の支持部材１６の上端縁には、懸架部材１５の端部を嵌め込む複数の支持溝１６ａが、等間隔に形成されている。
【００４６】
各懸架部材１５を支持溝１６ａに嵌め込む場合、全ての支持溝１６ａに嵌め込んだり（図４（Ａ）参照）、一つ置きの支持溝１６ａに嵌め込んだり（図４（Ｂ）参照）する等、各懸架部材１５の間隔を選択的に調整可能である。
【００４７】
各支持溝１６ａには、それぞれ、懸架部材１５を、容器本体１２に対する高さを選択可能に掛止する複数の掛止部１６ｂ，１６ｃ，１６ｄが形成されている。複数の掛止部１６ｂ〜１６ｄが形成されていることで、懸架部材１５をいずれの掛止部１６ｂ〜１６ｄに掛止させるか（図５（Ａ）、図５（Ｂ）および図５（Ｃ）参照）によって、各懸架部材１５の容器本体１２に対する高さを選択的に調整可能である。
【００４８】
支持部材１６は、掛止部１６ｂ〜１６ｄに掛止された懸架部材１５を自転可能に支持する。
【００４９】
このような一対の支持部材１６は、接着剤や粘着テープ等によって、互いに対向するように側面１７ｃ，１７ｅに沿って容器本体１２内に着脱可能に取り付けられる。
【００５０】
次に、搬送用容器１０の作用、すなわち、収容した物品ＸＡ１の揺動を図６（Ａ）〜図６（Ｃ）に基づいて説明する。なお、各懸架部材１５を下段の掛止部１６ｄに掛止させた場合を例に説明するが、各懸架部材１５を、上段の掛止部１６ｂまたは中段の掛止部１６ｃに掛止させた場合も同様の作用を有する。
【００５１】
容器本体１２に衝撃等の外力が加えられていない場合には、図６（Ａ）に示すように、シート部材１３の収容部（符号省略）は、真下に向けて垂れ下げられている。
【００５２】
容器本体１２に衝撃等の外力が加えられた場合には、図６（Ｂ）および図６（Ｃ）に示すように、シート部材１３の全ての収容部は、宙吊りにされた物品ＸＡ１の慣性力等によって、物品ＸＡ１と共に同一の方向に揺動する。
【００５３】
このように、搬送用容器１０によれば、つづら折り状にされたシート部材１３が、複数の物品ＸＡ１を個別に宙吊りにして収容する複数の収容部（符号省略）を構成する。このため、容器本体１２に衝撃が加えられたとしても、宙吊りにされた物品ＸＡ１は揺動して衝撃の影響を受けないから、安全で効率的に持ち運ぶことができる。
【００５４】
また、複数の懸架部材１５を、相互の間隔を選択可能に支持する支持部材１６を備えているから、複数の懸架部材１５を、相互の間隔を選択するように配置できる。これにより、懸架部材１５を自由にスライドさせる構成と比較して、複数の懸架部材１５を所望の位置に配置することを、迅速かつ的確に行える。ひいては、持ち運ぶ物品ＸＡ１の大きさを変更した場合に迅速かつ的確に対応できる。また、容器本体１２に衝撃が加えられたときに、懸架部材１５がスライドしてしまうことがない。
【００５５】
さらに、支持部材１６が、懸架部材１５を、容器本体１２に対する高さを選択可能に支持するから、懸架部材１５を配置する位置の選択の幅がある。ひいては、複数の懸架部材１５を所望の位置に配置することを、さらに的確に行える。
【００５６】
そして、支持部材１６が、容器本体１２に着脱可能に取り付けられているから、収容する物品ＸＡ１の種類や大きさ等に応じて支持部材１６を簡単に取り換えられる。
【００５７】
次いで、支持部材１６を、合成樹脂で所望の形状に成形しているから、簡単な構成で、複数の懸架部材１５を所望の位置に配置することを迅速かつ的確に行える。
【００５８】
また、支持部材１６が、懸架部材１５を自転可能に支持しているから、懸架部材１５の自転によって、物品ＸＡ１の揺動を滑らかに行える。
【００５９】
さらに、シート部材１３が、容器本体１２内に着脱可能に配置されているから、収容する物品ＸＡ１の種類や大きさ等に応じてシート部材１３を簡単に取り換えられる。
【００６０】
そして、シート部材１３に、導電性を有する気泡緩衝材を用いているから、持ち運ぶ物品ＸＡ１を静電気から保護できる。
【００６１】
次いで、シート部材１３が、気泡緩衝材から成形されているから、シート部材１３が物品ＸＡ１への衝撃を吸収できる。これにより、容器本体１２に衝撃が加えられて物品ＸＡ１同士が衝突した場合であっても、シート部材１３が物品ＸＡ１への衝撃を和らげ、安全に持ち運べる。また、気泡緩衝剤は、大量生産が可能であって安価であるので、搬送用容器１０を迅速かつ低コストに生産できる。
【００６２】
［第２実施形態］次に、図７を用いて、第２実施形態に係る搬送用容器（図示省略）の支持部材３１の構成について説明する。図７は、支持部材３１の正面図である。
【００６３】
なお、第２実施形態に係る搬送用容器の特徴部分のみを説明し、第１実施形態に係る搬送用容器１０と同様の構成要素、作用および効果についての説明は省略する。
【００６４】
（支持部材）図７に示すように、支持部材３１の上端縁には、懸架部材１５（図１および図２参照）の端部を嵌め込む複数の支持溝３１ａおよび３１ｂが、交互に形成されている。支持溝３１ａは、支持溝３１ｂの２倍の深さを有する。
【００６５】
深さの異なる支持溝３１ａ，３１ｂが形成されていることで、懸架部材１５をいずれの支持溝３１ａ，３１ｂに嵌め込むかによって、各懸架部材１５の容器本体１２に対する高さを選択的に調整可能である。例えば、各懸架部材１５を各支持溝３１ａに嵌め込む場合、各懸架部材１５を各支持溝３１ｂに嵌め込む場合と比較して、懸架部材１５の容器本体１２に対する高さが高めに選択される。
【００６６】
各懸架部材１５を支持溝３１ａに嵌め込む場合、全ての支持溝３１ａに嵌め込んだり、一つ置きの支持溝３１ａに嵌め込んだりする等、各懸架部材１５の間隔を選択的に調整可能である。各懸架部材１５を支持溝３１ｂに嵌め込む場合も同様である。
【００６７】
本考案は、上記各実施形態に限られるものではなく、その趣旨および技術思想を逸脱しない範囲で種々の変形が可能である。
【００６８】
すなわち、上記各実施形態において、気泡緩衝材をカットして成形したシート部材１３を用いたが、シート部材１３は、ポリエチレン、ポリプロピレン、ナイロン、ポリエステル等の合成繊維による不織布をカットして成形してもよい。この場合、導電性材料を加えて成形することが好ましい。
【００６９】
あるいは、上記各実施形態において、支持部材１６を、接着剤や粘着テープ等によって、容器本体１２内に着脱可能に取り付けているが、容器本体１２内に溝（図示省略）等を設け、当該溝に支持部材１６を着脱可能に嵌め込むようにしてもよい。
【００７０】
あるいは、上記各実施形態において、各構成要素の数量、形状、大きさは適宜変更できる。例えば、懸架部材１５、支持溝１６ａ，３１ａ，３１ｂや掛止部１６ｂ，１６ｃ，１６ｄの数量、シート部材１３の長さ等が挙げられる。
【符号の説明】
【００７１】
１０  搬送用容器
１１  開口
１２  容器本体
１３  シート部材
１４  底
１５  懸架部材
１６  支持部材
１６ａ  支持溝
１６ｂ，１６ｃ，１６ｄ  掛止部
１７  ダンボールプラスチック
１７ａ  底面
１７ｂ，１７ｃ，１７ｄ，１７ｅ  側面
１８，１９，２０，２１  枠部材
２２，２３，２４，２５  コーナー部材
２６，２７  把手
３１  支持部材
３１ａ，３１ｂ  支持溝
ＸＡ１  物品
【図１】
0003166980.tif 000003
【図２】
0003166980.tif 000004
【図３】
0003166980.tif 000005
【図４】
0003166980.tif 000006
【図５】
0003166980.tif 000007
【図６】
0003166980.tif 000008
【図７】
0003166980.tif 000009